(57)【要約】【課題】  送信者の状態を容易に把握することができる携帯端末および情報報知方法を提供すること。【解決手段】  本発明に係る受信側携帯端末２０は、電子メールの送信時における送信者の脈拍および体温を示す身体状態情報を受信部２１により受信し、この身体状態情報に基づいて判定部２３により報知パターンを判定し、判定した報知パターンにて、報知部２５により、受信者に対し送信者の脈拍および体温を視覚的に報知し、送信者の状態を容易に把握可能とする。【選択図】図１
2010253030.tif 000002
【特許請求の範囲】
【請求項１】
通信時における送信者の身体状態を示す身体状態情報を受信する受信手段と、
前記受信手段によって受信された前記身体状態情報に基づいて報知態様を判定する判定手段と、
前記判定手段によって判定された報知態様にて、受信者に対し前記身体状態を視覚的に報知する報知手段と、
を備えることを特徴とする携帯端末。
【請求項２】
前記受信手段は、通信時における前記送信者の周辺環境を示す周辺環境情報を受信し、
前記判定手段は、前記受信手段によって受信された前記周辺環境情報に基づいて報知態様を判定し、
前記報知手段は、前記判定手段によって判定された報知態様にて、受信者に対し前記周辺環境を視覚的に報知することを特徴とする請求項１記載の携帯端末。
【請求項３】
前記判定手段は、前記身体状態情報に示される身体状態に応じた複数の報知パターンを記憶する身体状態判定用データベースを備えることを特徴とする請求項１又は２記載の携帯端末。
【請求項４】
前記判定手段は、前記周辺環境情報に示される周辺環境に応じた複数の報知パターンを記憶する周辺環境判定用データベースを備えることを特徴とする請求項２又は３記載の携帯端末。
【請求項５】
前記報知手段は表示手段を備え、
前記表示手段が、前記受信手段により受信された電子メールを表示する場合において、
前記報知手段は、前記表示手段に表示される文字の色、文字の外周部の色、背景の色、および文字の振動から選ばれる少なくとも１種の報知態様にて報知を行うことを特徴とする請求項１〜４のいずれか一項記載の携帯端末。
【請求項６】
前記報知手段は、表示手段と、
前記表示手段を裏側から支持するように配置された、厚み方向に伸縮可能な伸縮部材と、を備えることを特徴とする請求項１〜５のいずれか一項記載の携帯端末。
【請求項７】
前記身体状態は、脈拍および体温の少なくとも一つを含むことを特徴とする請求項１〜６のいずれか一項記載の携帯端末。
【請求項８】
前記周辺環境は、気温であることを特徴とする請求項２〜７のいずれか一項記載の携帯端末。
【請求項９】
通信時における送信者の身体状態を示す身体状態情報を受信する受信手段と、
前記受信手段によって受信された前記身体状態情報に基づいて報知態様を判定する判定手段と、
前記判定手段によって判定された報知態様にて、受信者に対し前記身体状態を触覚を通じて報知する報知手段と、
を備えることを特徴とする携帯端末。
【請求項１０】
通信時における送信者の身体状態を示す身体状態情報を受信する受信ステップと、
前記受信ステップにおいて受信された前記身体状態情報に基づいて報知態様を判定する判定ステップと、
前記判定ステップにおいて判定された報知態様にて、受信者に対し前記身体状態を視覚的に報知する報知ステップと、
を備えることを特徴とする情報報知方法。
【発明の詳細な説明】
【技術分野】
【０００１】
本発明は、携帯端末および情報報知方法に関する。
【背景技術】
【０００２】
従来、通話者の身体状態を相手側に伝える装置が提案されている。例えば、特許文献１に記載された装置では、通話者の脈拍を検出して脈拍音を生成し、その脈拍音を受信側の端末に送付して通話音声に重畳させることにより、通話者の精神状態や身体状態の変化を受信者に知らせるようにしている。
【先行技術文献】
【特許文献】
【０００３】
【特許文献１】特開２００４−３０５３３０号公報
【発明の概要】
【発明が解決しようとする課題】
【０００４】
しかしながら、特許文献１に記載された装置では、脈拍音が通話音声に重畳されるのみであったため、受信者にとっては通話者すなわち送信者の精神状態や身体状態の変化を把握し難い場合があり、送信者の状態を容易に把握できないという問題があった。
【０００５】
そこで、本発明は、送信者の状態を容易に把握することができる携帯端末および情報報知方法を提供することを目的とする。
【課題を解決するための手段】
【０００６】
上記課題を解決するために、本発明の携帯端末は、通信時における送信者の身体状態を示す身体状態情報を受信する受信手段と、前記受信手段によって受信された前記身体状態情報に基づいて報知態様を判定する判定手段と、前記判定手段によって判定された報知態様にて、受信者に対し前記身体状態を視覚的に報知する報知手段と、を備えている。
【０００７】
また、本発明の情報報知方法は、通信時における送信者の身体状態を示す身体状態情報を受信する受信ステップと、前記受信ステップにおいて受信された前記身体状態情報に基づいて報知態様を判定する判定ステップと、前記判定ステップにおいて判定された報知態様にて、受信者に対し前記身体状態を視覚的に報知する報知ステップと、を備えている。
【０００８】
この発明によれば、通信時における送信者の身体状態を示す身体状態情報が受信され、この身体状態情報に基づいて報知態様が判定される。そして、判定された報知態様にて、受信者に対し送信者の身体状態が視覚的に報知される。このように、送信者の身体状態に基づいて判定された報知態様にて、その身体状態が視覚的に報知されるため、送信者の状態を容易に把握することができる。
【０００９】
また、本発明の携帯端末において、前記受信手段は、通信時における前記送信者の周辺環境を示す周辺環境情報を受信し、前記判定手段は、前記受信手段によって受信された前記周辺環境情報に基づいて報知態様を判定し、前記報知手段は、前記判定手段によって判定された報知態様にて、受信者に対し前記周辺環境を視覚的に報知することが好ましい。
【００１０】
この発明によれば、通信時における送信者の周辺環境を示す周辺環境情報が受信され、この周辺環境情報に基づいて報知態様が判定される。そして、判定された報知態様にて、受信者に対し送信者の周辺環境が視覚的に報知される。このように、送信者の周辺環境に基づいて判定された報知態様にて、その周辺環境が視覚的に報知されるため、送信者の状態をより的確に把握することができる。
【００１１】
また、本発明の携帯端末において、前記判定手段は、前記身体状態情報に示される身体状態に応じた複数の報知パターンを記憶する身体状態判定用データベースを備えることが好ましい。
【００１２】
この発明によれば、身体状態判定用データベースに記憶された複数の報知パターンの中から、送信者の身体状態に応じた報知パターンが判定手段によって判定され、その報知パターンにて送信者の身体状態が報知される。これにより、送信者の身体状態を具体的に把握することができる。
【００１３】
また、本発明の携帯端末において、前記判定手段は、前記周辺環境情報に示される周辺環境に応じた複数の報知パターンを記憶する周辺環境判定用データベースを備えることが好ましい。
【００１４】
この発明によれば、周辺環境判定用データベースに記憶された複数の報知パターンの中から、送信者の周辺環境に応じた報知パターンが判定手段によって判定され、その報知パターンにて送信者の周辺環境が報知される。これにより、送信者の周辺環境を具体的に把握することができる。
【００１５】
また、本発明の携帯端末において、前記報知手段は表示手段を備え、前記表示手段が、前記受信手段により受信された電子メールを表示する場合において、前記報知手段は、前記表示手段に表示される文字の色、文字の外周部の色、背景の色、および文字の振動から選ばれる少なくとも１種の報知態様にて報知を行うことが好ましい。
【００１６】
この発明によれば、受信手段により受信された電子メールを表示手段が表示する場合において、表示手段に表示される文字の色、文字の外周部の色、背景の色、および文字の振動から選ばれる少なくとも１種の報知態様にて送信者の身体状態、周辺環境が報知される。このため、送信者の状態を感覚的に把握することができ、電子メールのやり取りにおけるコミュニケーションの質を向上させることができる。
【００１７】
また、本発明の携帯端末において、前記報知手段は、表示手段と、前記表示手段を裏側から支持するように配置された、厚み方向に伸縮可能な伸縮部材と、を備えることが好ましい。
【００１８】
この発明によれば、表示手段を裏側から支持するように配置された伸縮部材が厚み方向に伸縮することにより、表示手段が脈動しているかのような報知態様とすることができる。よって、送信者の状態を視覚的かつ直感的に把握することができる。
【００１９】
また、本発明の携帯端末において、前記身体状態は、脈拍および体温の少なくとも一つを含むことが好ましい。
【００２０】
この発明によれば、送信者の脈拍や体温の値に基づいた報知態様にて脈拍や体温が報知されるため、送信者の身体状態をより具体的に把握することができる。
【００２１】
また、本発明の携帯端末において、前記周辺環境は、気温であることが好ましい。
【００２２】
この発明によれば、送信者の周辺の気温に基づいた報知態様にて気温が報知されるため、送信者の周辺環境をより具体的に把握することができる。
【００２３】
また、本発明の携帯端末は、通信時における送信者の身体状態を示す身体状態情報を受信する受信手段と、前記受信手段によって受信された前記身体状態情報に基づいて報知態様を判定する判定手段と、前記判定手段によって判定された報知態様にて、受信者に対し前記身体状態を触覚を通じて報知する報知手段と、を備えている。
【００２４】
この発明によれば、通信時における送信者の身体状態を示す身体状態情報が受信され、この身体状態情報に基づいて報知態様が判定される。そして、判定された報知態様にて、受信者に対し送信者の身体状態が触覚を通じて報知される。このように、送信者の身体状態に基づいて判定された報知態様にて、その身体状態が触覚を通じて報知されるため、送信者の状態を容易に把握することができる。
【発明の効果】
【００２５】
本発明の携帯端末および情報報知方法によれば、送信者の状態を容易に把握することができる。
【図面の簡単な説明】
【００２６】
【図１】本発明の実施形態に係る携帯端末の構成を示すブロック図である。
【図２】本発明の実施形態に係る携帯端末の概略正面図である。
【図３】身体状態情報判定用データベースに記憶される報知パターンの第１の具体例を示す図である。
【図４】身体状態判定用データベースに記憶される報知パターンの第２の具体例を示す図である。
【図５】周辺環境判定用データベースに記憶される報知パターンの具体例を示す図である。
【図６】携帯端末のディスプレイにおける電子メールの表示例を示す図である。
【図７】携帯端末のディスプレイにおける文字及び背景の表示例を示す図である。
【図８】携帯端末の報知部に備えられた伸縮部材を示す図である。
【図９】図８に示す伸縮部材の厚みの時間変化を示す図である。
【図１０】携帯端末による処理を示すシーケンス図である。
【発明を実施するための形態】
【００２７】
以下、図面を参照しながら本発明の実施形態を説明する。可能な場合には、同一の部分に同一の符号を付して、重複する説明を省略する。なお、以下の説明においては、送信者側携帯端末と受信者側携帯端末との間において電子メールのやり取りが行われる場合について説明する。
【００２８】
図１は本発明の実施形態に係る携帯端末の構成を示すブロック図、図２はこの携帯端末の概略正面図である。図１では、送信者側の携帯端末である送信側携帯端末１０と、受信者側の携帯端末である受信側携帯端末２０とがネットワークＮＷを介して通信可能な状態を示している。
【００２９】
図１に示すように、送信側携帯端末１０は、送信部１１、メール部１２、検出部１３、およびディスプレイ１４を備えている。また、受信側携帯端末２０は、受信部２１、メール部２２、判定部２３、制御部２４、および報知部２５を備えている。これらは、本実施形態の説明に必要なものとして、携帯端末１０，２０の主要な構成を示したものである。以下、各構成について説明する。
【００３０】
まず、送信側携帯端末１０について説明する。送信部１１は、送信側携帯端末１０において生成される通信データを送信する部分である。この通信データとしては、例えば電子メールにおけるテキストデータや通話における音声データの他、送信者の状態を示す状態情報などが挙げられる。特に本実施形態では、送信部１１は、後述するメール部１２および検出部１３から出力される電子メールおよび送信者の状態情報をネットワークＮＷへ送信する。ここで送信される送信者の状態情報は、電子メールの添付ファイルに含まれてもよいし、通信手順における制御信号に含まれてもよい。
【００３１】
メール部１２は、電子メールを生成する部分である。メール部１２は、送信者の操作に応じてテキストデータや画像データからなる電子メールを生成し、生成した電子メールを送信部１１およびディスプレイ１４へ出力する。
【００３２】
検出部１３は、通信時における送信者の身体状態および周辺環境を検出する部分である。検出部１３は、脈拍センサ１５、体温センサ１６、および外気温センサ１７を備えている。脈拍センサ１５および体温センサ１６のそれぞれは、通信時における送信者の脈拍および体温を検出し、検出した脈拍および体温を示す身体状態情報を生成し送信部１１へ出力する。外気温センサ１７は、通信時における送信者の周辺における外気温を検出し、検出した外気温を示す周辺環境情報を生成し送信部１１へ出力する。脈拍センサ１５、体温センサ１６、および外気温センサ１７による検出は、所定時間ごとに行われる。
【００３３】
図２に示すように、検出部１３が備える脈拍センサ１５、体温センサ１６、および外気温センサ１７は、送信側携帯端末１０の側部に設けられている。脈拍センサ１５および体温センサ１６は、送信側携帯端末１０の操作ボタンの左右側方に設けられており、送信者の手が触れ易い位置に配置されている。外気温センサ１７は、ディスプレイ１４上部の左右側方に設けられており、送信者の手が触れ難い位置に配置されている。このような構成により、送信者によって電子メール送信の操作が行われる際、送信者の脈拍、体温および周辺における外気温が検出可能とされている。
【００３４】
ディスプレイ１４は、送信側携帯端末１０において生成されるデータを表示する部分である。ディスプレイ１４は、メール部１２で生成された電子メールを取得し、取得した電子メールを送信者に対して表示する。
【００３５】
次に、受信側携帯端末２０について説明する。受信部２１は、ネットワークＮＷを介して送信された通信データを受信する部分である。特に本実施形態では、受信部２１は、送信側携帯端末１０の送信部１１から送信された電子メールおよび送信者の状態を示す身体状態情報および周辺環境情報を受信し、受信した電子メールをメール部２２へ出力すると共に、送信者の状態を示す身体状態情報および周辺環境情報を判定部２３へ出力する。この受信部２１は、受信手段に相当する。
【００３６】
メール部２２は、電子メールを取得し保存する部分である。メール部２２は、受信部２１から出力された電子メールを取得し、取得した電子メールを保存すると共に報知部２５のディスプレイ３８へ出力する。
【００３７】
判定部２３は、受信部２１によって受信された送信者の身体状態情報および周辺環境情報に基づいて報知態様を判定する部分である。判定部２３は、受信部２１から出力された身体状態情報および周辺環境情報を取得し、取得したこれらの情報に基づいて所定の処理を行うことにより受信側携帯端末２０における報知態様を判定する。この判定部２３は、判定手段に相当する。判定部２３における判定処理に係わる各部について、以下説明する。
【００３８】
判定部２３は、拍動情報判定部３１、文字情報判定部３２、および背景情報判定部３３を備えている。さらに、判定部２３は、拍動情報判定部３１および文字情報判定部３２に対応する身体状態判定用データベース３４および、背景情報判定部３３に対応する周辺環境判定用データベース３５を備えている。
【００３９】
身体状態判定用データベース３４は、身体状態情報に示される身体状態に応じた複数の報知パターンを記憶している。また、周辺環境判定用データベース３５は、周辺環境情報に示される周辺環境に応じた複数の報知パターンを記憶している。身体状態判定用データベース３４および周辺環境判定用データベース３５に記憶される報知パターンについて、図３〜図５を参照しながら、以下説明する。
【００４０】
身体状態判定用データベース３４には、図３に示すように、送信者の脈拍の値に対して４段階の報知パターンを対応させたテーブルが格納されている。このテーブルでは、例えば、送信者の脈拍が７０回／ｍｉｎである場合、文字の振動および画面の脈動について、いずれも「弱」が対応している。
【００４１】
なお、上記のテーブルにおける「画面」とは、後述する報知部２５のディスプレイ３８（表示手段）であり、「文字」とは、ディスプレイ３８に表示される電子メールの文字である。また、当該テーブルに示される数値範囲「ａ〜ｂ」は「ａ以上ｂ未満」を意味するものとする。以下に説明する他のテーブルにおいても同様とする。
【００４２】
また、身体状態判定用データベース３４には、図４に示すように、送信者の体温の値に対して５段階の報知パターンを対応させたテーブルが格納されている。このテーブルでは、例えば、送信者の体温が３６．５℃である場合、文字の色について「青」が対応している。
【００４３】
さらに、周辺環境判定用データベース３５には、図５に示すように、送信者の周辺の外気温に対して５段階の報知パターンを対応させたテーブルが格納されている。このテーブルでは、例えば、送信者の周辺の外気温が１５℃である場合、文字の外周部の色について「水色」が、ディスプレイ３８の背景の色について「緑」が対応している。
【００４４】
なお、身体状態判定用データベース３４や周辺環境判定用データベース３５には、ディスプレイ３８に表示する文字の色を変化可能とするフォントや、ディスプレイ３８の背景に重畳表示させる模様等も、上記テーブルと共に格納されている。
【００４５】
このように、図１に示す身体状態判定用データベース３４および周辺環境判定用データベース３５は、複数の報知態様、すなわち文字の振動、画面の脈動、文字の色、文字の外周部の色、および背景の色についての報知パターンを記憶している。以下の説明において、文字の振動、文字の色、文字の外周部の色、および背景の色を「表示パターン」ともいい、画面の脈動を「脈動パターン」ともいう。
【００４６】
拍動情報判定部３１は、取得した身体状態情報に示される脈拍の値に基づいて、身体状態判定用データベース３４に記憶された複数の報知パターンの中から、文字の振動についての表示パターンおよびディスプレイ３８の脈動パターンを判定する。また、文字情報判定部３２は、取得した身体状態情報に示される体温の値に基づいて、身体状態判定用データベース３４に記憶された複数の報知パターンの中から、文字の色についての表示パターンを判定する。さらに、背景情報判定部３３は、取得した周辺環境情報に示される外気温に基づいて、周辺環境判定用データベース３５に記憶された複数の報知パターンの中から、文字の外周部の色および背景の色についての表示パターンを判定する。そして、判定部２３は、判定されたこれらの報知パターンを制御部２４へ出力する。
【００４７】
制御部２４は、報知部２５を制御する部分である。制御部２４は、判定部２３から出力された報知パターンを取得すると共に報知パターンを確定し、確定した報知パターンにて報知部２５における報知が行われるよう報知部２５を制御する。なお、制御部２４は、報知部２５における表示パターンを制御する表示パターン制御部３６および報知部２５における脈動パターンを制御する振動パターン制御部３７を備えている。
【００４８】
そして報知部２５は、判定部２３によって判定された報知態様にて、受信者に対し送信者の身体状態および周辺環境を視覚的に報知すると共に、触覚を通じて報知するものである。報知部２５は、ディスプレイ３８および伸縮部材３９を備えている。この報知部２５は、報知手段に相当する。
【００４９】
ディスプレイ３８は、制御部２４の表示パターン制御部３６により制御されて、判定部２３によって判定された所定の表示パターンにて、受信者に対し送信者の脈拍、体温、および周辺の外気温を視覚的に報知する。特に本実施形態では、ディスプレイ３８は、メール部２２から出力された電子メールを取得し、取得した電子メールに示される文字等を所定の表示パターンにて表示することにより、受信者に対する報知を行う。このディスプレイ３８における表示について、図６および図７を参照しながら、以下説明する。
【００５０】
図６に示すように、ディスプレイ３８は、送信者によって作成され送信側携帯端末１０から送信された電子メールを表示している。ここでは、「こんにちは。……」という電子メールの文字が表示されると共に、ねずみをかたどったシルエットｓが重畳表示されている。ディスプレイ３８の背景全体およびこのシルエットｓは、図１の表示パターン制御部３６により制御されて、送信者の周辺の外気温に応じた背景の色にて表示可能とされている。
【００５１】
さらに図７に示すように、ディスプレイ３８に表示される電子メールの文字「あ」は、そのフォントの外周部Ａ、フォント周辺の背景Ｂ、およびフォント内部Ｃのそれぞれについて、送信者の周辺の外気温、送信者の体温に応じた色にて表示可能とされている。また、電子メールの文字「あ」の動きＤは、送信者の脈拍に応じた振動強度にて振動表示可能とされている。
【００５２】
伸縮部材３９は、図８に示すように、ディスプレイ３８を裏側から支持するように複数配置されており、ディスプレイ３８の厚み方向に伸縮可能とされている。この伸縮部材３９は、制御部２４の振動パターン制御部３７により制御されて、判定部２３の拍動情報判定部３１によって判定された所定の脈動パターンにて、ディスプレイ３８の厚み方向における長さＬ（ｔ）が経時的に変化することにより、ディスプレイ３８を脈動可能としている。
【００５３】
この伸縮部材３９による脈動パターンは、図９に示すように、送信者の心臓の脈拍や鼓動に応じたリズムで変化するようにされている。このような伸縮部材３９によってディスプレイ３８が押し上げられることにより、ディスプレイ３８があたかも送信者の脈拍に応じて脈動しているかのように、受信者に対する視覚的な報知が行われる。また、伸縮部材３９によるディスプレイ３８の脈動は物理的な動きでもあるため、受信側携帯端末２０を手にする受信者に対し触覚を通じた報知も行われる。
【００５４】
以上、携帯端末１０，２０各々の主要な構成について説明したが、実際には、送信側携帯端末１０は受信側携帯端末２０と同様の受信・報知機能を備え、受信側携帯端末２０は送信側携帯端末１０と同様の送信機能を備えることが好ましい。
【００５５】
次に、送信側携帯端末１０および受信側携帯端末２０の動作について説明する。図１０は、送信側携帯端末１０および受信側携帯端末２０による処理を示すシーケンス図である。
【００５６】
まず、送信側携帯端末１０において電子メールが作成される（Ｓ１）。ここでは、送信者の操作により、所定の内容を含む電子メールがメール部１２により生成され、生成された電子メールは送信部１１へ出力される。
【００５７】
続いて、脈拍が検出され（Ｓ２）、体温が検出され（Ｓ３）、外気温が検出される（Ｓ４）。ステップＳ２では、送信側携帯端末１０を持つ送信者の手が脈拍センサ１５に触れることにより、送信者の脈拍が検出される。また、ステップＳ３では、ステップＳ２と同様にして送信者の手が体温センサ１６に触れることにより、送信者の体温が検出される。さらに、ステップＳ４では、ディスプレイ１４上部の左右側方に設けられた外気温センサ１７により、送信者の周辺の外気温が検出される。また、ステップＳ２〜Ｓ４で検出された脈拍および体温を示す身体状態情報、および外気温を示す周辺環境情報が生成され、送信部１１へ出力される。
【００５８】
次に、データが送信される（Ｓ５）。ここでは、送信者の操作により、ステップＳ１で作成された電子メールと共に、ステップＳ２〜Ｓ４で検出されて生成された身体状態情報および周辺環境情報が、ネットワークＮＷを介して送信部１１から受信部２１へ送受信される。ここで、身体状態情報および周辺環境情報は、電子メールの送信操作が行われる際に送信部１１が取得した最新のデータとされる。ステップＳ５は、受信ステップに相当する。
【００５９】
続いて、送信側携帯端末１０の受信部２１により電子メールおよび、身体状態情報、周辺環境情報が受信されると、拍動情報の判定により表示パターン等が判定される（Ｓ６）。ここでは、判定部２３の拍動情報判定部３１により身体状態情報が取得され、取得された身体状態情報に示される脈拍の値に基づいて、身体状態判定用データベース３４に記憶された複数の報知パターンの中から、文字の振動についての表示パターンおよびディスプレイ３８の脈動パターンが判定される（図３参照）。
【００６０】
次に、文字情報の判定により表示パターンが判定される（Ｓ７）。ここでは、文字情報判定部３２により身体状態情報が取得され、取得された身体状態情報に示される体温の値に基づいて、身体状態判定用データベース３４に記憶された複数の報知パターンの中から、文字の色についての表示パターンが判定される（図４参照）。
【００６１】
次に、背景情報の判定により表示パターンが判定される（Ｓ８）。ここでは、背景情報判定部３３により周辺環境情報が取得され、取得された周辺環境情報に示される外気温に基づいて、周辺環境判定用データベース３５に記憶された複数の報知パターンの中から、文字の外周部の色および背景の色についての表示パターンが判定される（図５参照）。また、ステップＳ６〜Ｓ８で判定された表示パターンおよび脈動パターンは、制御部２４へ出力される。ステップＳ６〜Ｓ８は、判定ステップに相当する。
【００６２】
次に、表示パターンおよび脈動パターンが確定される（Ｓ９）。ここでは、制御部２４の表示パターン制御部３６により表示パターンが取得されると共に確定され、確定された表示パターンにてディスプレイ３８における表示が行われるよう、報知部２５が制御される。また、制御部２４の振動パターン制御部３７により脈動パターンが取得されると共に確定され、確定された脈動パターンにて伸縮部材３９による振動が行われるよう、報知部２５が制御される。
【００６３】
そして、画面表示が行われる（Ｓ１０）。ここでは、ディスプレイ３８により電子メールが取得され、取得された電子メールに示される文字等がステップＳ９で確定された表示パターンにて表示されることにより、受信者に対する報知が行われる。
【００６４】
より具体的には、図６に示されるように、シルエットｓが電子メールの文字に重畳表示され、送信者の周辺の外気温に応じた背景の色にて表示される。また、図７に示されるように、電子メールの文字が、そのフォントの外周部Ａ、フォント周辺の背景Ｂ、およびフォント内部Ｃのそれぞれにおいて、送信者の周辺の外気温、送信者の体温に応じた色にて表示され、また文字の動きＤが、送信者の脈拍に応じた振動強度にて振動表示される。
【００６５】
さらには、図９に示されるような脈動パターンにて伸縮部材３９の長さＬ（ｔ）が経時的に変化することにより、送信者の心臓の脈拍や鼓動に応じたリズムでディスプレイ３８が脈動される。ステップＳ１０は、報知ステップに相当する。
【００６６】
以上一連の処理により、送信側携帯端末１０および受信側携帯端末２０による電子メールのやり取りが行われ、受信側携帯端末２０において、送信者の状態が受信者に報知される。
【００６７】
次に、本実施形態の受信側携帯端末２０の作用効果について説明する。本実施形態の受信側携帯端末２０によれば、電子メールの送信時における送信者の脈拍および体温を示す身体状態情報が受信部２１により受信され、この身体状態情報に基づいて判定部２３により報知パターンが判定され、判定された報知パターンにて、受信者に対し送信者の脈拍および体温が報知部２５により視覚的に報知される。このように、送信者の脈拍および体温に基づいて判定された報知パターンにて、その脈拍および体温が視覚的に報知されるため、送信者の状態を容易に把握することができる。
【００６８】
また、本実施形態の受信側携帯端末２０によれば、電子メールの送信時における送信者の周辺の外気温を示す周辺環境情報が受信部２１により受信され、この周辺環境情報に基づいて判定部２３により報知パターンが判定され、判定された報知パターンにて、受信者に対し送信者の周辺の外気温が視覚的に報知される。このように、送信者の周辺の外気温に基づいて判定された報知パターンにて、その周辺の外気温が報知部２５により視覚的に報知されるため、送信者の状態をより的確に把握することができる。
【００６９】
また、本実施形態の受信側携帯端末２０によれば、身体状態判定用データベース３４に記憶された複数の報知パターンの中から、送信者の脈拍や体温の値に応じた報知パターンが拍動情報判定部３１および文字情報判定部３２によって判定され、その報知パターンにて送信者の脈拍や体温が報知される（図３，図４参照）。これにより、送信者の脈拍や体温を具体的に把握することができる。
【００７０】
また、本実施形態の受信側携帯端末２０によれば、周辺環境判定用データベース３５に記憶された複数の表示パターンの中から、送信者の周辺の外気温に応じた表示パターンが背景情報判定部３３によって判定され、その表示パターンにて送信者の周辺の外気温が報知される（図５参照）。これにより、送信者の周辺の外気温を具体的に把握することができる。
【００７１】
また、本実施形態の受信側携帯端末２０によれば、受信部２１により受信された電子メールをディスプレイ３８が表示する場合において、ディスプレイ３８に表示される文字の色Ｃ、文字の外周部の色Ａ、背景の色Ｂ、および文字の振動Ｄから選ばれる少なくとも１種の表示パターンにて送信者の脈拍および体温、周辺の外気温が報知される（図６，図７参照）。このため、送信者の状態を感覚的に把握することができ、電子メールのやり取りにおけるコミュニケーションの質を向上させることができる。
【００７２】
また、本実施形態の受信側携帯端末２０によれば、ディスプレイ３８を裏側から支持するように配置された伸縮部材３９を厚み方向に伸縮させるため、ディスプレイ３８が脈動しているかのような報知態様とすることができる（図８，図９参照）。よって、送信者の状態を視覚的かつ直感的に把握することができる。
【００７３】
また、本実施形態の受信側携帯端末２０によれば、電子メールの送信時における送信者の脈拍を示す身体状態情報が受信部２１により受信され、この身体状態情報に基づいて判定部２３により脈動パターンが判定され、判定された脈動パターンにて、受信者に対し送信者の脈拍が伸縮部材３９により触覚を通じて報知される。このように、送信者の脈拍に基づいて判定された脈動パターンにて、その脈拍が触覚を通じて報知されるため、送信者の状態を容易に把握することができる。
【００７４】
以上、本発明の実施携帯について説明したが、本発明は上記実施携帯に限られるものではない。例えば、上記実施形態では電子メールのやり取りを例に挙げて説明したが、通話の際に、受信側の着信画面において送信者すなわち通話者の状態を報知させるようにしてもよい。また、上記実施形態では触覚を通じた報知態様として伸縮部材３９によるディスプレイ３８の脈動について説明したが、たとえばマナーモードに用いられるバイブレーションを利用して送信者の脈拍などを報知するようにしてもよい。
【００７５】
また、上記実施形態では、図３〜図５に示したテーブルにより報知パターンを判定することとしたが、例えば送信者の脈拍に応じてディスプレイ３８の背景やシルエットｓの輝度の強弱が繰り返されるような報知パターンとしてもよく、またシルエットｓの表示領域などは、送信者が選択可能としてもよい。
【符号の説明】
【００７６】
２０…受信側携帯端末（携帯端末）、２１…受信部（受信手段）、２３…判定部（判定手段）、２５…報知部（報知手段）、３４…身体状態判定用データベース、３５…周辺環境判定用データベース、３８…ディスプレイ（表示手段）、３９…伸縮部材、Ａ…文字の外周部の色、Ｂ…背景の色、Ｃ…文字の色、Ｄ…文字の振動。
【図１】
2010253030.tif 000003
【図２】
2010253030.tif 000004
【図３】
2010253030.tif 000005
【図４】
2010253030.tif 000006
【図５】
2010253030.tif 000007
【図７】
2010253030.tif 000008
【図８】
2010253030.tif 000009
【図９】
2010253030.tif 000010
【図１０】
2010253030.tif 000011
【図６】
2010253030.tif 000012